【事件の表示】
　国際登録第１２８１３７８号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＹＯＹＯ」の欧文字を横書きしてなり、第９類、第３５類及び第３６類に属する日本国を指定する国際登録において指定された商品及び役務を指定商品及び指定役務として、２０１５年（平成２７年）９月２５日に国際商標登録出願されたものである。
　その後、指定商品及び指定役務については、原審における平成２８年１０月１４日付けの手続補正書及び当審における２０１７年（平成２９年）９月１日付けで国際登録簿に記録された限定の通報があった結果、第９類「Ｃｏｍｐｕｔｅｒ　ｓｏｆｔｗａｒｅ　ａｐｐｌｉｃａｔｉｏｎｓ　ｉｎ　ｃｏｎｎｅｃｔｉｏｎ　ｗｉｔｈ　ｐａｙｍｅｎｔ，ｂａｎｋｉｎｇ，ｆｉｎａｎｃｉａｌ　ａｎｄ　ｍｏｎｅｙ　ｍａｎａｇｅｍｅｎｔ，ｎｏｎｅ　ｂｅｉｎｇ　ｆｉｎａｎｃｉａｌ　ｍｏｄｅｌｌｉｎｇ　ｓｏｆｔｗａｒｅ　ｆｏｒ　ｐｒｏｆｅｓｓｉｏｎａｌ　ｕｓｅ；ｃｏｍｐｕｔｅｒ　ｓｏｆｔｗａｒｅ　ａｐｐｌｉｃａｔｉｏｎｓ　ｆｏｒ　ｕｓｅ　ｏｎ　ｍｏｂｉｌｅ　ｔｅｌｅｃｏｍｍｕｎｉｃａｔｉｏｎｓ　ｄｅｖｉｃｅｓ　ａｎｄ　ｗｉｒｅｌｅｓｓ　ｔｅｃｈｎｏｌｏｇｙ　ｄｅｖｉｃｅｓ，ｉｎｃｌｕｄｉｎｇ　ｓｍａｒｔｐｈｏｎｅｓ　ａｎｄ　ｔａｂｌｅｔｓ，ｉｎ　ｃｏｎｎｅｃｔｉｏｎ　ｗｉｔｈ　ｐａｙｍｅｎｔ，ｂａｎｋｉｎｇ，ｆｉｎａｎｃｉａｌ　ａｎｄ　ｍｏｎｅｙ　ｍａｎａｇｅｍｅｎｔ，ｎｏｎｅ　ｂｅｉｎｇ　ｆｉｎａｎｃｉａｌ　ｍｏｄｅｌｌｉｎｇ　ｓｏｆｔｗａｒｅ　ｆｏｒ　ｐｒｏｆｅｓｓｉｏｎａｌ　ｕｓｅ；ｃｏｍｐｕｔｅｒ　ｓｏｆｔｗａｒｅ　ａｐｐｌｉｃａｔｉｏｎｓ　ｆｏｒ　ａｄｍｉｎｉｓｔｒａｔｉｏｎ　ｏｆ　ｃｒｅｄｉｔ，ｌｏｙａｌｔｙ　ａｎｄ　ｐａｙｍｅｎｔ　ｓｃｈｅｍｅｓ　ｎｏｎｅ　ｂｅｉｎｇ　ｆｉｎａｎｃｉａｌ　ｍｏｄｅｌｌｉｎｇ　ｓｏｆｔｗａｒｅ　ｆｏｒ　ｐｒｏｆｅｓｓｉｏｎａｌ　ｕｓｅ；ｈａｎｄ−ｈｅｌｄ　ｄｅｖｉｃｅｓ　ｆｏｒ　ｐａｙｍｅｎｔ　ａｎｄ　ｖａｌｕｅ　ｅｘｃｈａｎｇｅ　ｓｅｒｖｉｃｅｓ；ｐｒｅ−ｐａｉｄ　ｃａｒｄｓ　ｆｏｒ　ｃｏｎｔａｃｔｌｅｓｓ　ｐａｙｍｅｎｔ；ｐｏｉｎｔ　ｏｆ　ｓａｌｅ　ｃａｒｄ　ａｎｄ　ｍｏｂｉｌｅ　ｄｅｖｉｃｅ　ｒｅａｄｅｒｓ；ｅｌｅｃｔｒｏｎｉｃ　ｐａｙｍｅｎｔ　ａｎｄ　ｃｒｅｄｉｔ　ｖｏｕｃｈｅｒｓ；ｅｌｅｃｔｒｏｎｉｃ　ｐｕｂｌｉｃａｔｉｏｎｓ　ｏｎ　ａｌｌ　ｔｈｅ　ａｆｏｒｅｓａｉｄ　ｇｏｏｄｓ．」、第３５類「Ａｄｖｅｒｔｉｓｉｎｇ；ｍａｒｋｅｔｉｎｇ；ｂｕｓｉｎｅｓｓ　ａｄｍｉｎｉｓｔｒａｔｉｏｎ；ｃｏｍｍｅｒｃｉａｌ　ｉｎｆｏｒｍａｔｉｏｎ　ａｎｄ　ａｄｖｉｃｅ　ｆｏｒ　ｃｏｎｓｕｍｅｒｓ；ｏｒｇａｎｉｓａｔｉｏｎ，ｏｐｅｒａｔｉｏｎ　ａｎｄ　ｓｕｐｅｒｖｉｓｉｏｎ　ｏｆ　ｌｏｙａｌｔｙ　ａｎｄ　ｉｎｃｅｎｔｉｖｅ　ｓｃｈｅｍｅｓ；ａｄｍｉｎｉｓｔｒａｔｉｏｎ　ｏｆ　ｌｏｙａｌｔｙ　ａｎｄ　ｒｅｗａｒｄｓ　ｐｒｏｇｒａｍｍｅｓ；ａｄｍｉｎｉｓｔｅｒｉｎｇ　ｓｃｈｅｍｅｓ　ｗｉｔｈ　ｐｒｏｍｏｔｉｏｎｓ　ｏｒ　ｐｏｉｎｔｓ　ｔｏ　ｂｅ　ｕｓｅｄ　ｉｎ　ｅｘｃｈａｎｇｅ　ｆｏｒ　ｇｏｏｄｓ　ｏｒ　ｅｘｐｅｒｉｅｎｃｅｓ；ｐｒｏｍｏｔｉｎｇ　ｔｈｅ　ｓａｌｅ　ｏｆ　ｔｈｅ　ｇｏｏｄｓ　ａｎｄ　ｓｅｒｖｉｃｅｓ　ｏｆ　ｏｔｈｅｒｓ　ｔｈｒｏｕｇｈ　ｒｅｗａｒｄｓ　ａｎｄ　ｉｎｃｅｎｔｉｖｅｓ，ｇｅｎｅｒａｔｅｄ　ｂｙ　ｕｓｅ　ｏｆ　ｍｏｂｉｌｅ　ｔｅｌｅｃｏｍｍｕｎｉｃａｔｉｏｎｓ　ｄｅｖｉｃｅｓ　ａｎｄ　ｗｉｒｅｌｅｓｓ　ｔｅｃｈｎｏｌｏｇｙ　ｄｅｖｉｃｅｓ，ｉｎｃｌｕｄｉｎｇ　ｓｍａｒｔｐｈｏｎｅｓ　ａｎｄ　ｔａｂｌｅｔｓ，ｆｏｒ　ｐａｙｍｅｎｔ；ｔｈｅ　ｐｒｏｖｉｓｉｏｎ　ｏｆ　ｉｎｆｏｒｍａｔｉｏｎ　ａｎｄ　ａｄｖｉｓｏｒｙ　ｓｅｒｖｉｃｅｓ　ｒｅｌａｔｉｏｎ　ｔｏ　ａｌｌ　ｔｈｅ　ａｆｏｒｅｓａｉｄ．」及び第３６類「Ｂａｎｋｉｎｇ　ｓｅｒｖｉｃｅｓ；ｍｏｎｅｙ　ａｎｄ　ｆｕｎｄｓ　ｔｒａｎｓｆｅｒ　ｓｅｒｖｉｃｅｓ；ｐａｙｍｅｎｔ　ｓｅｒｖｉｃｅｓ；ａｕｔｏｍａｔｅｄ　ｂａｎｋｉｎｇ　ｓｅｒｖｉｃｅｓ；ｐｒｉｖａｔｅ　ｂａｎｋｉｎｇ　ｓｅｒｖｉｃｅｓ；ｉｎｔｅｒｎｅｔ　ｂａｎｋｉｎｇ；ｍｏｂｉｌｅ　ｐｈｏｎｅ　ｂａｎｋｉｎｇ　ｓｅｒｖｉｃｅｓ；ｉｓｓｕｉｎｇ　ｏｆ　ｔｏｋｅｎｓ　ｏｆ　ｖａｌｕｅ　ａｎｄ　ｃｒｅｄｉｔ　ｖｏｕｃｈｅｒｓ；ｉｓｓｕｉｎｇ　ｏｆ　ｇｉｆｔ　ｖｏｕｃｈｅｒｓ；ｉｓｓｕｉｎｇ　ｏｆ　ｍｏｎｅｙ　ｏｆｆ　ｖｏｕｃｈｅｒｓ；ｉｓｓｕｉｎｇ　ｏｆ　ｌｏｙａｌｔｙ　ａｎｄ　ｉｎｃｅｎｔｉｖｅ　ｓｃｈｅｍｅ　ｖｏｕｃｈｅｒｓ；ｉｓｓｕｉｎｇ　ｏｆ　ｇｉｆｔ　ｖｏｕｃｈｅｒｓ　ｉｎ　ｃｏｎｎｅｃｔｉｏｎ　ｗｉｔｈ　ｐｒｏｍｏｔｉｏｎ　ａｎｄ　ｌｏｙａｌｔｙ　ｓｃｈｅｍｅｓ；ｉｓｓｕｉｎｇ　ｖｏｕｃｈｅｒｓ　ｆｏｒ　ｔｈｅ　ａｄｍｉｓｓｉｏｎ　ｔｏ　ｅｖｅｎｔｓ　ｏｒ　ｆｏｒ　ａｎ　ｅｘｃｈａｎｇｅ　ｏｆ　ｇｉｆｔｓ　ｖｉａ　ａ　ｗｅｂｓｉｔｅ　ａｎｄ　ｗｉｒｅｌｅｓｓ　ｄｅｖｉｃｅｓ；ｅｌｅｃｔｒｏｎｉｃ　ｐａｙｍｅｎｔ　ｐｒｏｃｅｓｓｉｎｇ　ｓｅｒｖｉｃｅｓ；ｐａｙｍｅｎｔ　ｔｒａｎｓａｃｔｉｏｎ　ａｕｔｈｅｎｔｉｃａｔｉｏｎ　ａｎｄ　ｖｅｒｉｆｉｃａｔｉｏｎ　ｓｅｒｖｉｃｅｓ；ｆｉｎａｎｃｉａｌ　ｓｅｃｕｒｉｔｉｅｓ　ｅｘｃｈａｎｇｅ　ｓｅｒｖｉｃｅｓ；ｃｏｎｔａｃｔｌｅｓｓ　ｔｅｃｈｎｏｌｏｇｙ　ｂａｎｋｉｎｇ　ｓｅｒｖｉｃｅｓ　ｕｓｉｎｇ　ｍｏｂｉｌｅ　ｔｅｌｅｃｏｍｍｕｎｉｃａｔｉｏｎｓ　ｄｅｖｉｃｅｓ　ａｎｄ　ｈａｎｄ−ｈｅｌｄ　ｗｉｒｅｌｅｓｓ　ｄｅｖｉｃｅｓ，ｉｎｃｌｕｄｉｎｇ　ｓｍａｒｔｐｈｏｎｅｓ　ａｎｄ　ｔａｂｌｅｔｓ；ｓｅｃｕｒｅ　ｅｌｅｃｔｒｏｎｉｃ　ｃａｓｈ　ｔｒａｎｓａｃｔｉｏｎｓ　ａｎｄ　ｅｌｅｃｔｒｏｎｉｃ　ｃａｓｈ　ｔｒａｎｓｍｉｓｓｉｏｎｓ，ｏｖｅｒ　ｐｕｂｌｉｃ　ｃｏｍｐｕｔｅｒ　ｎｅｔｗｏｒｋｓ　ｏｒ　ｔｈｅ　ｉｎｔｅｒｎｅｔ，ｏｒ　ｗｉｒｅｌｅｓｓ　ｃｏｍｍｕｎｉｃａｔｉｏｎｓ　ｎｅｔｗｏｒｋｓ，ｔｏ　ｆａｃｉｌｉｔａｔｅ　ｅｌｅｃｔｒｏｎｉｃ　ｃｏｍｍｅｒｃｅ　ａｎｄ／ｏｒ　ｅｌｅｃｔｒｏｎｉｃ　ｆｕｎｄｓ　ｔｒａｎｓｆｅｒ；ｐｒｏｖｉｓｉｏｎ　ｏｆ　ｆｉｎａｎｃｉａｌ　ｉｎｆｏｒｍａｔｉｏｎ，ｉｎｃｌｕｄｉｎｇ　ｂａｌａｎｃｅ　ｓｔａｔｅｍｅｎｔｓ；ｃｕｒｒｅｎｃｙ　ｅｘｃｈａｎｇｅ　ｓｅｒｖｉｃｅｓ；ｔｈｅ　ｐｒｏｖｉｓｉｏｎ　ｏｆ　ｆｉｎａｎｃｉａｌ　ｓｅｒｖｉｃｅｓ　ｆｏｒ　ｐａｙｍｅｎｔ　ｏｒ　ｅｘｃｈａｎｇｅ　ｉｎ　ｃｏｎｎｅｃｔｉｏｎ　ｗｉｔｈ　ｒｅｔａｉｌ　ｓｅｒｖｉｃｅｓ　ｐｒｏｖｉｄｅｄ　ｔｈｒｏｕｇｈ　ｍｏｂｉｌｅ　ｔｅｌｅｃｏｍｍｕｎｉｃａｔｉｏｎｓ　ｍｅａｎｓ，ｎａｍｅｌｙ，ｐａｙｍｅｎｔ　ｓｅｒｖｉｃｅｓ　ｔｈｒｏｕｇｈ　ｗｉｒｅｌｅｓｓ　ｄｅｖｉｃｅｓ；ａｄｖｉｃｅ　ａｎｄ　ｉｎｆｏｒｍａｔｉｏｎ　ｉｎ　ｒｅｌａｔｉｏｎ　ｔｏ　ａｌｌ　ｔｈｅ　ａｆｏｒｅｓａｉｄ．」とされたものである。
２　原査定の拒絶の理由の要点
　原査定は「本願商標は、登録第４４４１０９６号商標及び登録第５０３２６３３号商標（以下、これらをまとめて『引用商標』という。）と類似の商標であって、同一又は類似の商品及び役務について使用するものであるから、商標法第４条第１項第１１号に該当する。」旨認定、判断し、本願を拒絶したものである。
３　当審の判断
　本願の指定商品及び指定役務は、前記１のとおり補正及び限定された結果、引用商標の指定商品と類似の役務はすべて削除された。
　その結果、本願の指定商品及び指定役務は、引用商標の指定商品とは類似しない商品及び役務になった。
　したがって、本願商標が商標法第４条第１項第１１号に該当するとして本願を拒絶した原査定の拒絶の理由は、解消した。
　その他、本願について拒絶の理由を発見しない。
　よって、結論のとおり審決する。